(57)【要約】  【課題】  遊技媒体の数量を直接的にチェックすることができ信頼性に優れるとともに、遊技媒体の購入感覚を付与することもできる遊技媒体貸出機を提供する。  【解決手段】投入された所定価値に対応する規定数量の遊技媒体を遊技者に払出す装置本体１０ａと、装置本体１０ａから払出される遊技媒体１３を単位数量分保持可能な容量を有し、装置本体１０ａに着脱自在に取り付けられる遊技媒体用カセットホルダ１２とを備えるように遊技媒体貸出機１０を構成する。【選択図】  図１
2007054512.tif 000002
【特許請求の範囲】
【請求項１】
投入された所定価値に対応する規定数量の遊技媒体を遊技者に払出す装置本体と、前記装置本体から払出される前記遊技媒体を単位数量分保持可能な容量を有し、前記装置本体に着脱自在に取り付けられる遊技媒体用カセットホルダとを備えることを特徴とする遊技媒体貸出機。
【請求項２】
前記遊技媒体用カセットホルダは、所定長さの略円筒状であって、その円筒状周壁の一部を切り欠いて形成される切り欠き部を備えていることを特徴とする請求項１記載の遊技媒体貸出機。
【請求項３】
前記装置本体は、前記遊技媒体用カセットホルダを収容した状態で装着可能としたホルダ装着部を有し、装着されている前記遊技媒体用カセットホルダを把持するための窪み部を前記ホルダ装着部に連続して形成したことを特徴とする請求項２に記載の遊技媒体貸出機。
【請求項４】
前記遊技媒体用カセットホルダは、少なくとも一部を透光性部材により形成したケーシングと、同ケーシングの内部に形成した、前記装置本体から払い出される所定数の遊技媒体を導入保持するジグザグ状の遊技媒体通路とを有することを特徴とする請求項１に記載の遊技媒体貸出機。
【請求項５】
前記遊技媒体用カセットホルダは、保持している前記遊技媒体の個数を確認するためのスケールを有することを特徴とする請求項１〜４のいずれか１項に記載の遊技媒体貸出機。
【発明の詳細な説明】
【技術分野】
【０００１】
本発明はパチンコ遊技機やパチスロ遊技機等の遊技機に併設され、遊技者が投入した現金やカードなどに応じて所定数量のメダルやパチンコ球などの遊技媒体を貸し出すための遊技媒体貸出機に関する。
【背景技術】
【０００２】
従来の遊技機に併設された遊技媒体貸出機では、プリペイドカードなどを貸出機本体に投入したことによる遊技者からの貸出し要求に従って遊技媒体を計数して遊技媒体払出口から排出して遊技者に貸出していた。
このような遊技媒体貸出機においては、実際に貸出された遊技媒体の数量を遊技者がチェックするには、この遊技媒体の総数を遊技者が個々に数え上げて、表示部の表示などと照合しなければならず、多くの労力を必要としていた。そして、このように払い出されるメダルやパチンコ球などの遊技媒体の計数やチェックを容易にするための技術に関連して例えば、以下のようなものが提案されている。
【０００３】
特許文献１には、貸出された遊技媒体の総数を所定の払出数に分割して、この払出数に基づいて遊技媒体の払出を実行する分割カウンタを備え、所定の払出数単位毎に払い出される遊技媒体の数量を視認可能とした透明な遊技媒体払出窓を遊技媒体貸出機の側面に備えた遊技媒体貸出機が記載されている。
【０００４】
【特許文献１】特開平７−２９９２４０号公報
【発明の開示】
【発明が解決しようとする課題】
【０００５】
しかしながら、特許文献１に記載の透明な遊技媒体払出窓を設けて、ここに貯留された遊技媒体の数を視認できるようにした遊技媒体貸出機では、実際に払い出された遊技媒体を遊技者が手に取って直接的に確認できるわけではなく、しかも、遊技媒体払出窓が視認しにくい本体側面側に設けられているので、貸し出される遊技媒体の数量を容易に視認することが困難であった。さらに、遊技媒体貸出機から払い出される遊技媒体がそのまま遊技機に供給されるので、遊技媒体が遊技機に供給された後には、供給された遊技球の数量をチェックすることが更に困難になるおそれがあった。
【０００６】
本発明は前記従来の課題を解決するためになされたもので、遊技媒体の数量を直接的かつ容易にチェックすることができ、信頼性に優れるとともに、遊技媒体の購入感覚を付与することもできる遊技媒体貸出機を提供することを目的とする。
【課題を解決するための手段】
【０００７】
そこで、請求項１に係る本発明では、投入された所定価値に対応する規定数量の遊技媒体を遊技者に払出す装置本体と、装置本体から払出される遊技媒体を単位数量分保持可能な容量を有し、装置本体に着脱自在に取り付けられる遊技媒体用カセットホルダとを備える遊技媒体貸出機を提供することとした。
【０００８】
また、請求項２に係る本発明では、請求項１記載の遊技媒体貸出機において、遊技媒体用カセットホルダは、所定長さの略円筒状であって、その円筒状周壁の一部を切り欠いて形成される切り欠き部を備えていることを特徴とする。
【０００９】
また、請求項３に係る本発明では、請求項２に記載の遊技媒体貸出機において、装置本体は、遊技媒体用カセットホルダを収容した状態で装着可能としたホルダ装着部を有し、装着されている遊技媒体用カセットホルダを把持するための窪み部をホルダ装着部に連続して形成したことを特徴とする。
【００１０】
また、請求項４に係る本発明では、請求項１に記載の遊技媒体貸出機において、遊技媒体用カセットホルダは、少なくとも一部を透光性部材により形成したケーシングと、同ケーシングの内部に形成した、装置本体から払い出される所定数の遊技媒体を導入保持するジグザグ状の遊技媒体通路とを有することを特徴とする。
【００１１】
また、請求項５に係る本発明では、請求項１〜４のいずれか１項に記載の遊技媒体貸出機において、遊技媒体用カセットホルダは、保持している遊技媒体の個数を確認するためのスケールを有することを特徴とする。
【発明の効果】
【００１２】
本発明によれば、遊技媒体を単位数量分保持可能な遊技媒体用カセットホルダが装置本体に着脱自在に取り付けられているので、遊技者は、貸し出された遊技媒体を収容している遊技媒体用カセットホルダを手に取って、遊技媒体の数量を容易に確認することができる。したがって、遊技者が遊技媒体を借りる際に、貸出される遊技媒体の数量に関して信頼感を付与でき、遊技性を削ぐことなく快適な遊技環境を提供できる。
【発明を実施するための最良の形態】
【００１３】
本実施形態の遊技媒体貸出機は、投入された所定価値に対応する規定数量の遊技媒体を遊技者に払出す装置本体と、前記装置本体から払出される前記遊技媒体を単位数量分保持可能な容量を有し、前記装置本体に着脱自在に取り付けられる遊技媒体用カセットホルダとを備えている。これによって、遊技媒体貸出機の表示部などに表示された遊技媒体数量の真偽や、実際に貸出された遊技媒体の数量を遊技者が容易にチェックできる。
【００１４】
遊技媒体貸出機が併設される遊技機としては、遊技媒体を介して遊技を行うパチンコ遊技機やパチスロ機などが適用できる。
遊技媒体はパチンコ球やメダルなどであって、遊技媒体貸出機に投入される現金やプリペイドカードなどの所定価値に応じて、規定量の遊技媒体が払い出されるようになっている。
【００１５】
装置本体は例えば、紙幣や硬貨、プリペイドカードなどの所定価値が投入される貨幣投入部と、紙幣や硬貨を受け入れて識別するための識別部と、識別された所定価値及び／又はこれに対応して払い出される遊技媒体数量を表示するための表示部と、遊技媒体を貯留するための貯留部と、前記貯留部から規定数量の遊技媒体を取り出して遊技媒体払出口に払い出すための払出部と、前記識別部からの識別信号に基づいて前記払出部を制御するための制御部などを有している。
【００１６】
遊技媒体用カセットホルダは、規定数量の遊技媒体だけを保持するための合成樹脂製や金属製などのホルダケースであって、装置本体の遊技媒体払出口に連設されたホルダ装着部などに着脱自在に取り付けられるようになっている。
【００１７】
なお、本実施の形態の遊技媒体貸出機は、前記遊技媒体用カセットホルダが所定長さの略円筒状であって、その円筒状周壁の一部を切り欠いて形成される切り欠き部を設けるようにしてもよい。これによって、装置本体から供給される遊技媒体を円筒状周壁の内部にコンパクトに整列した状態に保持することができるとともに、遊技者が直接手に取ってその切り欠き部を介して数量を容易に確かめることができる。さらに、このような遊技媒体用カセットホルダをポリエチレンなどの可撓性プラスチックによって形成した場合には、この遊技媒体用カセットホルダを把持して捻るだけで、その全体が変形して拡開した切り欠き部から、ホルダに保持した遊技媒体を隣接した遊技機の受皿などに容易に排出することができ、その操作性や取り扱い性にも優れている。
切り欠き部は例えば円筒状周壁全円周の３分の１以上を切り欠いて形成した部分であり、内部に保持するコインやメダルなどの遊技媒体の確認ができるようにするとともに、その遊技媒体の取り出しが容易にできるように形成されている。
【００１８】
本実施の形態の遊技媒体貸出機は、前記装置本体が前記遊技媒体用カセットホルダを収容した状態で装着可能としたホルダ装着部を有し、装着されている前記遊技媒体用カセットホルダを把持するための窪み部を前記ホルダ装着部に連続して形成したことにも特徴を有している。これによって、ホルダ装着部に取り付けられた遊技媒体用カセットホルダを遊技者がその手先を窪み部に挿入することで容易に把持して取り外すことができ、この遊技媒体用カセットホルダに充填された規定数量の遊技媒体を確認することができる。
窪み部は、略矩形状や略楕円状などに形成されたホルダ装着部中央の左右両側に連続して設けられ、ホルダ装着部に挿入された円筒状の遊技媒体用カセットホルダを遊技者がその手先を差し入れて把持するのを容易にするように形成されている。
【００１９】
また、本実施の形態の遊技媒体貸出機は、遊技媒体用カセットホルダは、少なくとも一部を透光性部材により形成したケーシングと、同ケーシングの内部に形成した、装置本体から払い出される所定数の遊技媒体を導入保持するジグザグ状の遊技媒体通路とを有することにも特徴を有している。これによって、遊技者は貸出された遊技媒体がジグザグ状の遊技媒体通路を左右に転がりながら充填されていく様子を観察して楽しみながら、最終的に規定数量の遊技媒体で満たされた遊技媒体用カセットホルダを必要に応じて手にすることで直接的に規定数量の遊技媒体を確認することができる。
【００２０】
遊技媒体通路は、装置本体側から供給されるパチンコ球などの遊技媒体をその自重によって転がらせながら搬送させることができる樋状通路であり、その通路末端から順次パチンコ球が充填されることで、最終的に規定量のパチンコ球が保持されるようになっている。
ケーシングはその一部又は全部がプラスチックやガラスなどの透光性部材で構成され、前記遊技媒体通路を収納して全体が略矩形状などに形成されており、ケーシング内部に充填された遊技媒体を容易に視認できるようにしている。
また、この透光性部材をケーシングに窓状に配置したり、ケーシング全体を透光性部材で形成したりして、ケーシング内部に充填された遊技媒体を容易に視認できるようにすることも可能である。なお、透光性部材となるプラスチックとしては、ポリエチレンやポリカーボネイトなどが適用できる。
【００２１】
また、本実施の形態の遊技媒体貸出機は、遊技媒体用カセットホルダは、保持している遊技媒体の個数を確認するためのスケールを有することにも特徴を有している。これによって、遊技者が遊技媒体用カセットホルダを手にしたときなどに、そのホルダ内に保持された遊技媒体の数量確認をさらに容易にすることができるとともに、貸出された遊技媒体の数量に関して信頼性の付与を確実にすることができる。
スケールは、透光性部材や金属部材からなる遊技媒体用カセットホルダに印刷され又はシール状に貼付されたり、レリーフ状に形成されたりした目盛り部分であり。ホルダに充填保持された遊技媒体の数量確認を容易にできるようにしている。
【００２２】
（実施例１）
図１は実施例１に係る遊技媒体貸出機の斜視図であり、図２は同遊技媒体貸出機が併設された遊技機の斜視図であり、図３は遊技場やゲームセンターなどの遊技ホールにおける遊技媒体貸出機の使用形態の説明図である。以下図面を参照しながら実施例１の遊技媒体貸出機についてさらに具体的に説明する。
図１〜図３において、１０はパチスロ遊技機１１に併設される実施例１の遊技媒体貸出機、１２は単位数量の遊技媒体１３を保持するための遊技媒体用カセットホルダ、１４は遊技媒体用カセットホルダ１２が着脱自在に取り付けられる装置本体１０ａの前側下部に設けられたホルダ装着部である。
【００２３】
図１に示すように装置本体１０ａの前面にはホルダ装着部１４の他に、プリペイドカードや紙幣、硬貨などの貨幣（所定価値）が投入される貨幣投入部１０ｂと、投入された貨幣に対応して払い出される遊技媒体１３の数量などの情報を表示するための表示部１０ｃ、内部に貯留される遊技媒体１３を補給するための遊技媒体補給部１０ｄなどが設けられている。
【００２４】
遊技媒体用カセットホルダ１２は例えば、比較的軟質で可撓性のポリエチレンなどのプラスチック素材からなり、所定数量のパチスロ遊技機用メダル（遊技媒体１３）を保持することのできる略円筒状に形成されている。その円筒状周壁の約３分の１部分を切り欠かれており、この切り欠き部１２ａを通して内部に保持された規定数量の遊技媒体１３を視認できるようになっている。また、遊技媒体用カセットホルダ１２の円筒状本体１２ｂには遊技媒体１３の保持枚数を示すための印刷表示されたスケール１２ｃが設けられている。
【００２５】
ホルダ装着部１４は全体が縦長の矩形状や楕円状などに形成されている。そのホルダ装着部１４の左右両側には装着された遊技媒体用カセットホルダ１２を把持するための遊技者の手指挿入を容易にする窪み部１４ａが設けられており、遊技者が窪み部１４ａを介して遊技媒体用カセットホルダ１２を把持して着脱する操作を容易にしている。
【００２６】
なお、遊技媒体貸出機１０は図示しない制御部によって制御され、貨幣投入部１０ｂなどにコインなどの所定価値が投入されることによって、この所定価値に対応する数量の遊技媒体１３が決定される。次に、ホルダ装着部１４に装着されている空の遊技媒体用カセットホルダ１２に、装置本体１０ａ内部の図示しないメダル貯留部から規定数量に計数された遊技媒体１３がホッパーなどのメダル払出装置などを介して順次供給されて充填される。こうして、遊技者はホルダ装着部１４に連続して設けられた窪み部１４ａを介してコインが充填された遊技媒体用カセットホルダ１２を把持して取り出し、その充填状態を間近に確認できるようにしている。
【００２７】
パチスロ遊技機１１は図２に示すように、リール３Ｌ，３Ｃ，３Ｒや主制御回路などを収容するキャビネット１ａと、このキャビネット１ａに対して開閉可能に取り付けられる前面扉１ｂとを有している。キャビネット１ａの内部には、３個のリール３Ｌ，３Ｃ，３Ｒが回転自在に横一列に設けられている。３個のリール３Ｌ，３Ｃ，３Ｒには、各々の外周面に複数種類の図柄によって構成される図柄列が描かれている。各リール３Ｌ，３Ｃ，３Ｒは、定速回転するように主制御回路により制御され、リール３Ｌ，３Ｃ，３Ｒ上に描かれた図柄がリールの回転に伴って変動する。
【００２８】
また、前面扉１ｂにはパネル表示部２が形成されており、パネル表示部２の中央には縦長矩形の表示窓４Ｌ，４Ｃ，４Ｒが、リール３Ｌ，３Ｃ，３Ｒの前方に位置するように設けられる。各リール３Ｌ，３Ｃ，３Ｒ上の図柄は表示窓４Ｌ，４Ｃ，４Ｒを通して観察できるようになっている。
【００２９】
また、パチスロ遊技機１１には、リール３Ｌ，３Ｃ，３Ｒの回転が停止した際に、表示窓４Ｌ，４Ｃ，４Ｒ内に表示された図柄に基づいて、入賞などの成否を判定する基準となる入賞ラインが設定されるようになっている。各入賞ラインは、１−ＢＥＴボタン５ａ、２−ＢＥＴボタン５ｂ、最大ＢＥＴボタン５ｃを操作すること、あるいはメダル投入口６にメダルを投入することにより、それぞれ１本、３本、５本が有効化される。どの入賞ラインが有効化されたかは、ＢＥＴランプの点灯で表示される。入賞の判定は、この有効ラインに基づいて行われる。例えば、所定の役に係る図柄の組合せを構成する図柄が、有効ラインに対応する位置に沿って並んで停止表示されることにより所定の役の入賞などが成立することとなる。
【００３０】
表示窓４Ｌ，４Ｃ，４Ｒの左側には、１−ＢＥＴランプ９ａ、２−ＢＥＴランプ９ｂ及び最大ＢＥＴランプ９ｃが設けられる。１−ＢＥＴランプ９ａ、２−ＢＥＴランプ９ｂ及び最大ＢＥＴランプ９ｃは、単位遊技（すなわち、１回のゲーム）を行うために投入されるメダルの枚数（すなわち、投入枚数）に応じて点灯する。１−ＢＥＴランプ９ａは、投入枚数が１枚で１本の入賞ラインが有効化されたときに点灯する。２−ＢＥＴランプ９ｂは、投入枚数が２枚で３本の入賞ラインが有効化されたときに点灯する。最大ＢＥＴランプ９ｃは、投入枚数が３枚で全ての入賞ラインが有効化されたときに点灯する。
【００３１】
また、ＢＥＴランプ９ａ，９ｂ，９ｃの下方には、第１情報表示部８ａが設けられる。第１情報表示部８ａは、７セグメントＬＥＤなどから成り、パチスロ遊技機１１に貯留（いわゆる、「クレジット」）されているメダルの枚数、入賞時に遊技者に対して払出されるメダルの枚数や単位遊技回数、入賞回数などを表示する。
【００３２】
表示窓４Ｌ，４Ｃ，４Ｒの下方には水平面状の台座部１１ｂが形成され、その台座部１１ｂと表示窓４Ｌ，４Ｃ，４Ｒとの間には第２情報表示部を設けることもできる。この第２情報表示部には、パチスロ遊技機１１に関する説明事項などが表示される。
また、台座部１１ｂにはメダル投入口６が設けられている。メダル投入口６に投入されたメダルに応じて、前述の入賞ラインが有効化される。また、メダル投入口６に３枚、すなわち、単位遊技において投入することが可能な最大の投入枚数を超えたメダルが投入されると、超えた分のメダルがクレジットされる。
【００３３】
１−ＢＥＴボタン５ａは、１回の押し操作によりクレジットされているメダルのうちの１枚が投入される。２−ＢＥＴボタン５ｂは、１回の押し操作により、クレジットされているメダルのうちの２枚が投入される。最大ＢＥＴボタン５ｃは、１回の押し操作により、クレジットされているメダルのうちの３枚（すなわち、最大投入枚数）のメダルが投入される。これらのＢＥＴボタン５ａ，５ｂ，５ｃを操作することにより、前述の入賞ラインが有効化される。
【００３４】
また、最大ＢＥＴボタン５ｃの上方には操作部７が設けられている。操作部７などの操作により、各表示画面に遊技履歴などの遊技に関する情報が表示されるようになっている。台座部１１ｂの前面部の左寄りには、遊技者がゲームで獲得したメダルのクレジット（Ｃｒｅｄｉｔ）／払出し（Ｐａｙ）を切り換えるＣ／Ｐボタン７ａが設けられている。このＣ／Ｐボタン７ａの押し操作によりクレジットから払出しに切り換えられると、クレジットされているメダルが正面下部のメダル払出口１１ｃから払出され、払出されたメダル（遊技媒体１３）はメダル受け部１１ａに溜められる。メダル受け部１１ａの上方の左右にスピーカなどを設けることができ、遊技の状況に応じた演出音や報知音などが鳴らされるようにしてもよい。
【００３５】
最大ＢＥＴボタン５ｃの下側には、開始操作により、リール３Ｌ，３Ｃ，３Ｒを回転させ、表示窓４Ｌ，４Ｃ，４Ｒに表示された図柄の変動を開始するためのスタートレバー６ａが設けられている。
【００３６】
台座部１１ｂ下部の前面中央には、停止操作により３個のリール３Ｌ，３Ｃ，３Ｒの回転をそれぞれ停止させるための３個のストップボタン７Ｌ，７Ｃ，７Ｒが設けられている。実施例１のパチスロ遊技機１１による単位遊技は、リール３Ｌ，３Ｃ，３Ｒの回転が開始されることにより開始され、全てのリール３Ｌ，３Ｃ，３Ｒが停止することにより終了する。
【００３７】
実施例１の遊技媒体貸出機１０は以上のように構成されているので、ホルダ装着部１４に取り付けられた遊技媒体用カセットホルダ１２を窪み部１４ａを介して遊技者がその手先を挿入して容易に把持して取り外すことができる。また、この遊技媒体用カセットホルダ１２に充填された規定数量の遊技媒体１３を確認することが容易にできる。さらに、可撓性の遊技媒体用カセットホルダ１２を把持して捻るだけで、図２に示すように保持された規定数量の遊技媒体１３を隣接した遊技機１１のメダル受け部１１ａに容易に排出することができる。
【００３８】
（実施例２）
図４は実施例２に係る遊技媒体貸出機の斜視図であり、以下図面を参照しながら実施例２の遊技媒体貸出機について説明する。
図４において、１５は実施例２の遊技媒体貸出機、１６は図示しないメダル貯留部から供給される所定数量のパチスロ遊技機用メダル（遊技媒体１３）を保持して外部から透視可能に装置本体１０ａの前側に配置されたメダル配置部である。なお、実施例２の遊技媒体貸出機１５は、実施例１の遊技媒体貸出機１０にメダル配置部１６を付加したものであり、他の構成は同様であるのでこれら同様の機能を有するものについては同一の符号を付してその説明を省略する。
メダル配置部１６は装置本体１０ａの前側に略矩形状に開口して形成された窓部１７と、窓部１７に覆設された透明ガラスやアクリルなどのプラスチック材からなる透光板１８と、窓部１７の外側に印刷表示された遊技媒体の個数を確認するためのスケール部１９とを備えている。メダル配置部１６にはプリペイドカードや紙幣、硬貨などの貨幣（所定価値）が貨幣投入部１０ｂに投入されることによって、投入された貨幣に対応した数量の遊技媒体１３が供給され、この充填状態を遊技者が装置本体１０ａの前側から確実に視認できるようになっている。
【００３９】
こうして、遊技媒体貸出機１５の遊技者側に面した装置本体１０ａ前面部分の一部を例えば、ガラスやアクリル樹脂、ポリカーボネイト樹脂などの透光板１８で構成し、遊技者は透光板１８を通して、メダル配置部１６内に積層して貯留された遊技媒体１３を視認可能なようにしている。メダル配置部１６内の遊技媒体１３は上下方向に積み重なって貯留されている。また、透光板１８やその周囲となる装置本体１０ａの前面部分に遊技媒体の数を遊技者が一目で計数できるスケール部１９などの表示目盛を設けることによって、これから払い出される遊技媒体の数を遊技者はさらに容易に認戯することができる。これによって、遊技媒体が確実に払い出されたかどうかを確認でき、遊技媒体貸出機の遊技媒体が足りない場合も一目でわかり機械に弱い人でも、お金を入れる前に店員を呼び出して補給してもらう事ができる。こうして、遊技者が安心して遊技に専念できる遊技環境を構築することができる。
【００４０】
（実施例３）
図５は、実施例３に係る遊技媒体貸出機の斜視図である。図５において、１５ａは実施例３の遊技媒体貸出機、１０ｅはメダル配置部１６に貯留された遊技媒体を遊技者に直接払い出すための遊技媒体排出部である。なお、実施例３の遊技媒体貸出機１５ａは、実施例２の変形例に相当するものであり同様の機能を有するものについては同一の符号を付してその説明を省略する。
遊技媒体排出部１０ｅは、メダル配置部１６に視認可能に貯留された遊技媒体が払い出される装置本体１０ａの前側下部に設けられた皿状容器部であり、
プリペイドカードや紙幣、硬貨などの貨幣（所定価値）が貨幣投入部１０ｂに投入されることによって、投入された貨幣に対応した数量の遊技媒体１３が一括して皿状の部分に排出されるようにしている。これによって、遊技者は、これから貸出される遊技媒体１３の数量を、遊技を行う姿勢のまま容易に確認することができ、しかも、排出された遊技媒体１３の重量などの感触を実際に手に取って確かめることができ、安心感や信頼感を付加することができる。
これにより、遊技者は、遊技媒体が規定数量より足りない場合も一目でわかり、貨幣を入れる前に店員を呼び出して補給してもらうことができるので安心して遊技に専念できる。
【００４１】
（実施例４）
図６は実施例４に係る遊技媒体貸出機が併設された遊技機の使用形態を示す正面図であり、図７は同遊技媒体貸出機における遊技媒体用カセットホルダの説明図であり、図８は同遊技媒体用カセットホルダの使用形態の説明図である。
図６〜図８において、２０はパチンコ遊技機２１に併設される実施例４の遊技媒体貸出機、２２は単位数量のパチンコ球（遊技媒体）を保持するための略矩形状に形成された遊技媒体用カセットホルダ、２４は遊技媒体用カセットホルダ２２が着脱自在に取り付けられる装置本体２０ａの側部に回動自在のアーム状に設けられたホルダ装着部である。
【００４２】
装置本体２０ａに設けられたホルダ装着部２４は遊技媒体用カセットホルダ２２を装着支持するとともに、装置本体２０ａの図示しないパチンコ球貯留部から供給される遊技媒体の導入通路を兼ねている。なお、図６（ｂ）に示すように遊技媒体用カセットホルダ２２をホルダ装着部２４から取り外したときには、ホルダ装着部２４の基部２４ａが回動して通路が閉鎖され、パチンコ球貯留部からのパチンコ球の排出が抑止されるような構造になっている。
【００４３】
図７（a）に示すように遊技媒体用カセットホルダ２２は、装置本体２０ａのホルダ装着部２４を介して貸出される所定数のパチンコ球を導入保持するためのジグザグ状の遊技媒体通路２２ａを内部に備え、遊技媒体通路２２ａに充填保持されたパチンコ球の数量を視認可能な矩形箱状の透光性部材からなるケーシング２２ｂを備えている。
また、このケーシング２２ｂには、遊技媒体通路２２ａ毎に保持されるパチンコ球の数量を累積表示させるためのスケール２２ｃを備えている。
そして、ホルダ装着部２４に装着された遊技媒体用カセットホルダ２２には、ホルダ上部の遊技媒体供給口２２ｄから所定数量のパチンコ球が順次供給充填されるようになっている。
【００４４】
また、この遊技媒体用カセットホルダ２２は、矩形状のケーシング２２ｂの側端に開閉自在に設けられたストッパ壁２２ｅを開放することで、図８に示すようにジグザグ状に形成された各遊技媒体通路２２ａ内部に貯留されたパチンコ球を一挙に排出することができるようになっている。なお、最下段となる遊技媒体通路２２ａの末端部を遊技媒体の開放口２２ｆとして、通路末端に設けられた開閉するストッパ部２２ｇを遊技者が操作して、遊技媒体用カセットホルダ２２をホルダ装着部２４に装着したまま、この開放口２２ｆから遊技媒体をパチンコ遊技機２１の受皿ユニット２１ｅに遊技媒体を供給することもできる。
【００４５】
なお、図６に示すように遊技媒体貸出機２０の装置本体２０ａ前面にはホルダ装着部２４の他に、プリペイドカードやデビットカードなどの所定価値が投入されるカード投入部２０ｂと、硬貨が投入される硬貨投入部２０ｃ、紙幣が投入される紙幣投入部２０ｄ、装着されたカードや貨幣に対応して払い出される遊技媒体の数量などの情報を表示するための表示部２０ｅなどが設けられている。
【００４６】
パチンコ遊技機２１は図６に示すように、遊技場に設けられる図示しない遊技機設置基台（遊技島）にパチンコ遊技機２１を固定するための本体枠２１ａと、本体枠２１ａに着脱自在に取り付けられた遊技盤２１ｂ及び遊技盤の裏側に視認可能に取り付けられた液晶表示装置２１ｃとを備えている。
この液晶表示装置２１ｃは、遊技盤２１ｂの全部又は一部に背面側から重なるように配設されている。こうして、遊技盤２１ｂ上の遊技領域を含む演出表示可能領域が形成されることになる。そして、この演出表示可能領域内に可変表示ゲームにおいて識別情報の可変表示を可能とするとともに、遊技に関する演出画像や背景画像を表示可能な演出表示領域が形成される。この演出表示領域には、普通図柄ゲームにおける普通図柄についても表示することができる。
【００４７】
また、本体枠２１ａの上部にはスピーカが取り付けられるとともに、下部右側には発射ハンドル２１ｄが取り付けられている。発射ハンドル２１ｄの裏側には、ソレノイドなどからなる弾球装置を備える発射装置が設けられ、さらに、この発射ハンドル２１ｄの周縁部には、タッチセンサ（図示せず）が設けられており、このタッチセンサが触接されたときに、発射ハンドル２１ｄが遊技者により握持されたと検知される。そして、発射ハンドル２１ｄが遊技者によって握持され、かつ時計回り方向へ回動操作されたときには、その回動角度に応じて発射装置に電力が供給されてパチンコ球が遊技盤２１ｂに順次発射される。
【００４８】
図６中における２１ｅは本体枠２１ａの前面下部に取り付けられた受皿ユニットであり、上皿及び下皿が形成されている。この上皿に貯留されたパチンコ球が発射装置に供給されるようになっており、上皿の容量を越えたパチンコ球が下皿に供給されるようになっている。発射ハンドル２１ｄの操作により発射されたパチンコ球は、遊技盤上の円弧状のガイドレールにより案内されて遊技領域内を流下する。また、遊技盤２１ｂ上には、図示しない複数の障害釘を打ち込んでおり、パチンコ球が遊技領域を上部から下部へ流下する際の流下方向を複雑に変化させるようにしている。
【００４９】
さらに、遊技盤２１ｂには、パチンコ球が入球すると入賞となる複数の一般入賞口、可変表示ゲームが開始される契機となる特定入賞口としての始動口、及び可変表示ゲームで当選した際に実行されるラウンド遊技において所定時間開放可能とした大入賞口、さらには一般入賞口、可変表示ゲーム開始の契機となる始動口、大入賞口に入球しなかったパチンコ球を遊技領域外域へ排出するためのアウト口などが配設されている。
【００５０】
前記大入賞口には、開閉自在なシャッタが設けられており、ラウンド遊技においては、このシャッタがパチンコ球を受け入れやすい開放状態となる。また、この大入賞口内には、Ｖカウントセンサを有するＶゾーンと呼ぶ特定領域（図示せず）と、カウントセンサを有する一般領域（図示せず）とが設けられており、それらの領域をパチンコ球が所定個数（例えば１０個）通過するか、又は、所定時間（例えば３０秒）が経過するまで前記シャッタが開放状態に駆動される。つまり、開放状態において大入賞口への所定数のパチンコ球の入賞又は所定時間の経過のいずれかの条件が成立すると、大入賞口を、パチンコ球を受け入れ難い閉鎖状態にする。続いて、開放状態から閉鎖状態となったシャッタは、開放状態において大入賞口に受け入れられたパチンコ球がＶカウントセンサを通過したことを条件に、再度開放状態に駆動される。つまり、大入賞口が開放状態のときに受け入れられたパチンコ球が、大入賞口内に設けられたＶゾーンを通過したことを条件に、閉鎖状態となった後に再度開放状態にし、ラウンド遊技が継続可能となる。
【００５１】
始動口は可変表示ゲーム開始の契機となるものであり、この始動口にパチンコ球が入賞した場合に可変表示ゲームが開始され、液晶表示装置２１ｃの演出表示領域上において複数列の識別情報群が変動表示される。なお、可変表示ゲームに用いられる識別情報としての図柄は算用数字０〜９までとしており、識別情報が複数個集合した識別情報群を、液晶表示装置２１ｃの演出表示領域中に横３列で表示可能としている。
【００５２】
可変表示ゲームの開始条件としては、始動口にパチンコ球が入賞したことを条件としており、所定の識別情報群の変動表示開始条件が成立する毎に識別情報群の変動表示を行うこととなる。なお、前記一般入賞口及び大入賞口に入球した場合の入賞には、例えば入球１個につき１０球のパチンコ球が賞球として払い出され、前記始動口に入球した場合の入賞には、入球１個につき例えば５球のパチンコ球が賞球として払い出されるようにしている。
【００５３】
実施例４の遊技媒体貸出機２０は以上説明したように遊技媒体用カセットホルダ２２は、遊技媒体の数量を外部から視認可能な透光性部材からなるケーシング２２ｂにより形成し、このケーシング２２ｂの内部に、所定数の遊技媒体を導入保持するジグザグ状の遊技媒体通路２２ａを備え、しかも、遊技媒体通路２２ａ毎に保持されるパチンコ球の数量を累積表示させるためのスケール２２ｃを備えているため、遊技者は貸出された遊技媒体がジグザグ状の遊技媒体通路２２ａを転がりながら充填されていく様子を観察して楽しみながら、最終的に規定数量の遊技媒体で満たされた遊技媒体用カセットホルダ２２を必要に応じて手にすることで直接的に規定数量の遊技媒体を確認することができる。
【００５４】
なお、本発明は以上説明したように、装置本体から払い出される単位数量分の遊技媒体を保持する遊技媒体用カセットホルダを装置本体に着脱自在に取り付けたことを要旨とするものであって、実施の形態のものに限定されるものではない。例えば本実施の形態では、特定の形態のパチンコ遊技機やパチスロ遊技機を例に説明したが、これらの形態のものに限定されることなく広く一般の遊技機に対して本発明の遊技媒体貸出機を適用することができる。さらに、紙幣などを小額の硬貨などに両替する両替機としての機能を本発明の遊技媒体貸出機に付加することもできる。この場合には、両替されたコインなどの貨幣を単位数量ずつ遊技媒体用カセットホルダに充填保持させることによって、手にした貨幣の数量を確実に認識できるようにして遊技媒体のみならず両替された貨幣の数量に関する信頼性も同時に付加することも可能である。
【図面の簡単な説明】
【００５５】
【図１】実施例１に係る遊技媒体貸出機の斜視図である。
【図２】同遊技媒体貸出機が併設された遊技機の斜視図である。
【図３】遊技媒体貸出機の使用形態の説明図である。
【図４】実施例２に係る遊技媒体貸出機の斜視図である。
【図５】実施例３に係る遊技媒体貸出機の斜視図である。
【図６】実施例４の遊技媒体貸出機の使用形態の正面図である。
【図７】遊技媒体用カセットホルダの説明図である。
【図８】遊技媒体用カセットホルダ使用形態の説明図である。
【符号の説明】
【００５６】
１０  実施例１の遊技媒体貸出機
１０ａ  装置本体
１０ｂ  貨幣投入部
１０ｃ  表示部
１０ｄ  遊技媒体補給部
１０ｅ  遊技媒体排出部
１１  パチスロ遊技機（遊技機）
１１ａ  メダル受け部
１１ｂ  台座部
１１ｃ  メダル払出口
１２  遊技媒体用カセットホルダ
１２ａ  切り欠き部
１２ｂ  円筒状本体
１２ｃ  スケール
１３  パチスロ遊技機用メダル（遊技媒体）
１４  ホルダ装着部
１４ａ  窪み部
１５  実施例２の遊技媒体貸出機
１５ａ  実施例３の遊技媒体貸出機
１６  メダル配置部
１７  窓部
１８  透光板
１９  スケール部
２０  実施例４の遊技媒体貸出機
２０ａ  装置本体
２０ｂ  カード投入部
２０ｃ  硬貨投入部
２０ｄ  紙幣投入部
２０ｅ  表示部
２１  パチンコ遊技機（遊技機）
２１ａ  本体枠
２１ｂ  遊技盤
２１ｃ  液晶表示装置
２１ｄ  発射ハンドル
２１ｅ  受皿ユニット
２２  遊技媒体用カセットホルダ
２２ａ  遊技媒体通路
２２ｂ  ケーシング
２２ｃ  スケール
２２ｄ  遊技媒体供給口
２２ｅ  ストッパ壁
２２ｆ  開放口
２２ｇ  ストッパ部
２４  ホルダ装着部
２４ａ  基部
【図１】
2007054512.tif 000003
【図２】
2007054512.tif 000004
【図３】
2007054512.tif 000005
【図４】
2007054512.tif 000006
【図５】
2007054512.tif 000007
【図６】
2007054512.tif 000008
【図７】
2007054512.tif 000009
【図８】
2007054512.tif 000010